(57)【特許請求の範囲】
【請求項１】
水平な回転軸を有する回転装置により把持された、コンテナ本体と蓋とを備えたコンテナを、回転させることにより、コンテナ内の収容物を混合する回転式コンテナ混合装置において、
コンテナ内に、回転軸の軸心を間に置いて対向する一対の仕切板が設けられ、
一対の仕切板は、回転軸の軸心と平行で且つ地面に垂直な方向に延び、更に各仕切板の、軸心方向の両側縁がコンテナ内壁に接続し、地面に垂直な方向の両側縁がコンテナ内壁との間に隙間を有するよう、設けられており、
一対の仕切板は、コンテナ本体と蓋とにより挾持される被挾持体に固定支持されて、被挾持体と共にコンテナに対して着脱自在となっていることを特徴とする回転式コンテナ混合装置。
【請求項２】
各仕切板が分割して形成されており、仕切板の分割された一部を構成する板部が、コンテナ本体内壁から突出して形成されている請求項１記載の回転式コンテナ混合装置。
【発明の詳細な説明】
【０００１】
【発明の属する技術分野】
本発明は、２種以上の粉末状等の原材料をコンテナ内に収容し、コンテナを回転させることにより、収容物の混合を行なう、回転式コンテナ混合装置に関するものである。
【０００２】
【従来技術及びその課題】
回転式コンテナ混合装置としては、例えば、実公昭５８−１７６２６号公報、特公平４−６９１号公報に記載のものが知られているが、一般に、次のような問題があった。即ち、仕込み率即ちコンテナ内充填量のコンテナ内容積に対する割合が小さい場合には混合時間が短くても十分に混合できるが、仕込み率が大きくなると、軸心部分にある収容物が滞留し、混合が不十分となり、十分に混合するには長時間を要していた。
【０００３】
本発明は、軸心部分の収容物に滞留を生じさせることなく、短時間で十分な混合を行なうことができる、回転式コンテナ混合装置を提供することを目的とする。
【０００４】
【課題を解決するための手段】
上記目的を達成するために、請求項１記載の発明は、水平な回転軸を有する回転装置により把持された、コンテナ本体と蓋とを備えたコンテナを、回転させることにより、コンテナ内の収容物を混合する回転式コンテナ混合装置において、コンテナ内に、回転軸の軸心を間に置いて対向する一対の仕切板が設けられ、一対の仕切板は、回転軸の軸心と平行で且つ地面に垂直な方向に延び、更に各仕切板の、軸心方向の両側縁がコンテナ内壁に接続し、地面に垂直な方向の両側縁がコンテナ内壁との間に隙間を有するよう、設けられており、一対の仕切板は、コンテナ本体と蓋とにより挾持される被挾持体に固定支持されて、被挾持体と共にコンテナに対して着脱自在となっていることを特徴としている。
【０００５】
請求項２記載の発明は、請求項１記載の構成において、各仕切板が分割して形成されており、仕切板の分割された一部を構成する板部が、コンテナ本体内壁から突出して形成されている。
【０００６】
【発明の実施の形態】
図１は本発明の一実施形態の回転式コンテナ混合装置を示す斜視図、図２は図１の平面断面図、図３は図１のIII −III 断面図、図４は図１のIV−IV断面図である。この混合装置は、コンテナ１が両側壁にて回転軸（回転装置）２に把持されて構成されている。コンテナ１は、円筒部１１及び円錐部１２からなるコンテナ本体と蓋１３とバルブ１４とで構成されており、円筒部１１の上開口が蓋１３で塞がれている。蓋１３は、そのフランジ１３１が円筒部１１のフランジ１１１に締結されることにより、円筒部１１に固定されている。蓋１３は、その中央の投入口１３ａが投入蓋１３ｂで塞がれている。円錐部１２は下方に尖っており、下開口（排出口）がバルブ１４で塞がれている。回転軸２は駆動源（図示せず）により回転されるようになっている。
【０００７】
コンテナ１内には、２枚の仕切板３が設けられている。仕切板３は、回転軸２の軸心と平行に延び且つ軸心を間に置いて対向している。仕切板３の軸心方向の両側縁３１は、図２及び図３に示すように、コンテナ本体内壁に接続しており、仕切板３の、軸心に対し直角方向の両側縁３２ａ，３２ｂは、図４に示すように、コンテナ１内壁との間に隙間Ｗ１，Ｗ２を有するよう設けられている。なお、側縁３２ａは蓋１３の内壁との間に隙間Ｗ１を有している。
【０００８】
仕切板３は、コンテナ１に対して着脱自在に設けられている。即ち、仕切板３は、図５に示すように、リング体３３と一体物として、コンテナ１とは別体に構成されている。仕切板３は、リング体３３に垂下された状態で固定されている。そして、仕切板３は、リング体３３を蓋１３のフランジ１３１と円筒体１１のフランジ１１１とで挾持した状態で、コンテナ１内に設けられている。仕切板３の両側縁３１は、コンテナ本体の内壁に、当接している。
【０００９】
上記構成のコンテナ１に前工程で数種の内容物を充填し、コンテナ１を例えばキャスター付きの台車に載せて運搬して回転装置にセットする。回転装置を作動させると、コンテナ１内の収容物４は、図６ないし図９に示すように混合される。図６はコンテナ１が鉛直状態にある時の収容物の状態を示す。図６の状態からコンテナ１が矢印方向に回転すると、コンテナ１内の収容物は図７、図８、図９の各状態を経て、図６の状態となる。この過程において、図７に示すように、仕切板３の側縁３２ａの下側には空間部５１が形成され、また、図９に示すように、仕切板３の側縁３２ｂの下側には空間部５２が形成される。このような空間部５１，５２が形成されるため、仕切板３で区画された各区分４０ａ，４０ｂ，４０ｃにおける収容物はそれぞれ大きく流動することとなり、軸心部分において滞留は生じない。従って、比較的短時間で十分な混合が行なわれる。また、空間部５１，５２が形成されなくなる直前まで収容物を充填できるので、仕込み率を大きくできる。
【００１０】
また、仕切板３をリング体３３と共にコンテナ１内から取外せるので、コンテナ１を洗浄する際にコンテナ１内に邪魔になる物はなく、従って、洗浄が容易となる。
【００１１】
図１０は本発明の別の実施形態の回転式コンテナ混合装置を示す縦断面図である。この実施形態では、仕切板３がそれぞれ、本体３ａと２枚の板部３ｂとに分割されている。板部３ｂは図１１に示すようにコンテナ本体内壁から突出して形成されている。本体３ａは、図１２に示すように、リング体３３にＷ１の長さの棒体３３ｃを介して垂下された状態で固定されており、コンテナ１とは別体に構成されている。本体３ａの幅は投入口１３ａの幅より少し小さく設定されている。本体３ａは、リング体３３を投入口１３ａのフランジ１３１ａと投入蓋１３ｂの周縁との間に挾持して、固定されている。本体３ａは、蓋１３を固定したコンテナ１に投入口１３ａから挿入して、コンテナ１内に設置される。なお、図１０において、本体３ａの両側縁３１ａは板部３ｂの側縁３１ｂに当接している。このコンテナ１においても、隙間Ｗ１，Ｗ２（図１０）があるため、混合過程において複数の空間部が生じ、従って、比較的短時間で十分な混合が行なわれ、また、仕込み率を大きくできる。
【００１２】
なお、コンテナ１とは別体に構成する仕切板の本体３ａにおいては、図１３に示すように、２枚の本体３ａ間に支持棒３０を渡して設けてもよい。これによれば、２枚の本体３ａがより安定したものとなる。勿論、図５に示す場合においても、同様に支持棒３０を設けてよい。なお、本体３ａは蓋１３と一体であってもよい。
【００１３】
また、コンテナ本体の形状は、丸形でも角形でもよい。また、リング体３３の形状は、コンテナ本体の形状に合わせてあればよく、環状形状でないもの、即ちフランジ１３１とフランジ１１１とで挾持できる物であれば他の形状の物を用いてもよい。
【００１４】
また、回転軸（回転装置）２は、コンテナ１の胴部を把持でき且つ充分な強度があれば、片持ち式即ち１本でもよい。
【００１５】
【発明の効果】
以上のように、請求項１，２記載の発明によれば、混合過程において空間部５１，５２を形成できるので、仕切板３で区画された各区分４０ａ，４０ｂ，４０ｃにおける収容物をそれぞれ大きく流動させ、軸心部分における収容物の滞留を防止できる。従って、比較的短時間で十分な混合を行なうことができ、しかも、仕込み率を大きくできる。
【００１６】
また、仕切板３をコンテナ１内から取外せるので、コンテナ１内の洗浄を容易に行なうことができる。
【図面の簡単な説明】
【図１】  本発明の一実施形態の回転式コンテナ混合装置を示す斜視図である。
【図２】  図１の平面断面図である。
【図３】  図１のIII −III 断面図である。
【図４】  図１のIV−IV断面図である。
【図５】  コンテナとは別体に構成された仕切板を示す斜視図である。
【図６】  コンテナが鉛直状態にある場合の収容物の状態を示す、図４に相当する断面図である。
【図７】  コンテナが回転途中にある場合の収容物の状態を示す、図４に相当する断面図である。
【図８】  コンテナが逆鉛直状態にある場合の収容物の状態を示す、図４に相当する断面図である。
【図９】  コンテナが回転途中にある場合の収容物の状態を示す、図４に相当する断面図である。
【図１０】  本発明の別の実施形態の回転式コンテナ混合装置を示す、図３に相当する断面図である。
【図１１】  図１０の装置においてコンテナとは別体に構成された仕切板本体を取外した状態を示す縦断面図である。
【図１２】  図１０の装置に用いる、コンテナとは別体に構成された仕切板本体を示す斜視図である。
【図１３】  コンテナとは別体に構成した仕切板本体の別の例を示す斜視図である。
【符号の説明】
１  コンテナ
１３  蓋
１４  バルブ
２  回転軸（回転装置）
３  仕切板
３ａ  本体
３ｂ  板部
３１，３１ａ，３２ａ，３２ｂ  側縁
３３  リング体（被挾持体）
４  収容物
５１，５２  空間部
【図１】
0003866789.tif 000002
【図２】
0003866789.tif 000003
【図３】
0003866789.tif 000004
【図４】
0003866789.tif 000005
【図５】
0003866789.tif 000006
【図６】
0003866789.tif 000007
【図７】
0003866789.tif 000008
【図８】
0003866789.tif 000009
【図９】
0003866789.tif 000010
【図１０】
0003866789.tif 000011
【図１１】
0003866789.tif 000012
【図１２】
0003866789.tif 000013
【図１３】
0003866789.tif 000014